(57)【要約】【課題】画像情報の伝達の遅延を抑制し、且つ、表示装置の設定の利便性を向上する。【解決手段】複数のプロジェクター２００を有する表示システム１に含まれるプロジェクター２００であって、入力画像Ｒが入力される画像入力部２８３と、入力画像Ｒを表示する投射部２１０と、入力画像Ｒの解像度と投射部２１０が表示する画像Ｐの解像度とに基づき、複数のプロジェクター２００の配置を推定する推定部２８５と、推定部２８５の推定結果に基づき、複数のプロジェクター２００の配置を示す画像を投射部２１０により表示させる表示制御部２８６と、を備える。【選択図】図３
2020115194.tif 000002
【特許請求の範囲】
【請求項１】
複数の表示装置を有する表示システムに含まれる表示装置であって、
入力画像が入力される画像入力部と、
前記入力画像を表示する表示部と、
前記入力画像の解像度と前記表示部が表示する画像の解像度とに基づき、前記複数の表示装置の配置を推定する推定部と、
前記推定部の推定結果に基づき、前記複数の表示装置の配置を示す画像を前記表示部により表示させる表示制御部と、を備える、表示装置。
【請求項２】
前記複数の表示装置の配置に対する入力を受け付ける情報入力部と、
前記情報入力部への入力に基づき、前記推定部が推定した前記複数の表示装置の配置を調整する調整部と、を備える、請求項１に記載の表示装置。
【請求項３】
前記推定部の推定結果は、前記表示システムを構成する前記複数の表示装置のうちの第１方向に配列された第１台数と、前記第１方向と交差する第２方向に配列された第２台数とを含み、
前記調整部は、前記情報入力部への入力に基づき、前記第１台数と前記第２台数とを調整する、請求項２に記載の表示装置。
【請求項４】
前記推定部の推定結果に基づき、前記入力画像のうちの前記表示部により表示する領域を設定する設定部を備える、請求項１から３のいずれか１項に記載の表示装置。
【請求項５】
前記設定部は、前記複数の表示装置によって前記入力画像が表示されるように前記領域を設定する、請求項４に記載の表示装置。
【請求項６】
前記設定部は、前記領域の位置及びサイズを規定する座標の入力を受け付け、前記座標に基づき前記領域を設定する、請求項４又は５に記載の表示装置。
【請求項７】
複数の表示装置を有する表示システムに含まれる表示装置の制御方法であって、
入力画像が入力される入力ステップと、
前記入力画像の解像度と前記表示装置が表示する画像の解像度とに基づき、前記複数の表示装置の配置を推定する推定ステップと、
前記推定ステップでの推定結果に基づき、前記複数の表示装置の配置を示す画像を表示する表示ステップと、
を含む、表示装置の制御方法。
【請求項８】
複数の表示装置を有する表示システムであって、
前記複数の表示装置の各々は、
入力画像が入力される画像入力部と、
前記入力画像を表示する表示部と、
前記入力画像の解像度と前記表示部が表示する画像の解像度とに基づき、前記複数の表示装置の配置を推定する推定部と、
前記推定部の推定結果に基づき、前記複数の表示装置の配置を示す画像を前記表示部により表示させる表示制御部と、を備える、表示システム。
【請求項９】
前記複数の表示装置は、デイジーチェーン接続され、
前記複数の表示装置において両端に位置する２つの表示装置のいずれかの表示装置に、前記入力画像を出力する画像出力装置を備える、請求項８に記載の表示システム。
【発明の詳細な説明】
【技術分野】
【０００１】
本発明は、表示装置、表示システム、及び表示装置の制御方法に関する。
【背景技術】
【０００２】
従来、複数の表示装置をケーブルで接続し、接続された複数の表示装置により画像を表示する表示システムが知られている（例えば、特許文献１参照）。
特許文献１に記載の表示システムは、映像ソース出力機器から複数の映像表示制御機器にカスケード接続することで映像伝送し映像表示を行う。具体的には、上流の映像表示制御機器は、下流の映像表示制御機器が使用しない上流の映像表示制御機器で使用する映像領域に生成した制御情報やグラフィックスデータを入れ替えて伝送する。また、下流の映像表示制御機器は上流の映像表示制御機器で使用する映像領域に埋め込まれてくる制御情報やグラフィックスデータを取り込むとともに、自身の映像表示領域を取り込み、上流から伝送されてくる制御情報やグラフィックスデータに基づいて自身の映像表示領域の映像表示を行う。
【先行技術文献】
【特許文献】
【０００３】
【特許文献１】特開２０１７−１４２３３９号公報
【発明の概要】
【発明が解決しようとする課題】
【０００４】
しかしながら、特許文献１に記載の表示システムでは、１つの画像出力装置から複数の表示装置に画像情報が出力され、複数の表示装置の各々で画像情報の一部を表示する場合には、複数の表示装置の各々が、画像情報のどの部分を表示するかをユーザーが設定する必要があるため、ユーザーの利便性が充分ではない場合があるという課題があった。
【課題を解決するための手段】
【０００５】
上記課題を解決する一態様は、複数の表示装置を有する表示システムに含まれる表示装置であって、入力画像が入力される画像入力部と、前記入力画像を表示する表示部と、前記入力画像の解像度と前記表示部が表示する画像の解像度とに基づき、前記複数の表示装置の配置を推定する推定部と、前記推定部の推定結果に基づき、前記複数の表示装置の配置を示す画像を前記表示部により表示させる表示制御部と、を備える、表示装置である。
【０００６】
上記表示装置において、前記複数の表示装置の配置に対する入力を受け付ける情報入力部と、前記情報入力部への入力に基づき、前記推定部が推定した前記複数の表示装置の配置を調整する調整部と、を備える構成であってもよい。
【０００７】
上記表示装置において、前記推定部の推定結果は、前記表示システムを構成する前記複数の表示装置のうちの第１方向に配列された第１台数と、前記第１方向と交差する第２方向に配列された第２台数とを含み、前記調整部は、前記情報入力部への入力に基づき、前記第１台数と前記第２台数とを調整する構成であってもよい。
【０００８】
上記表示装置において、前記推定部の推定結果に基づき、前記入力画像のうちの前記表示部により表示する領域を設定する設定部を備える構成であってもよい。
【０００９】
上記表示装置において、前記設定部は、前記複数の表示装置によって前記入力画像が表示されるように前記領域を設定する構成であってもよい。
【００１０】
上記表示装置において、前記設定部は、前記領域の位置及びサイズを規定する座標の入力を受け付け、前記座標に基づき前記領域を設定する構成であってもよい。
【００１１】
上記課題を解決する別の一態様は、複数の表示装置を有する表示システムに含まれる表示装置の制御方法であって、前記入力画像が入力される入力ステップと、入力画像の解像度と前記表示装置が表示する画像の解像度とに基づき、前記複数の表示装置の配置を推定する推定ステップと、前記推定ステップでの推定結果に基づき、前記複数の表示装置の配置を示す画像を表示する表示ステップと、を含む、表示装置の制御方法である。
【００１２】
上記課題を解決する更に別の一態様は、複数の表示装置を有する表示システムであって、前記複数の表示装置の各々は、入力画像が入力される画像入力部と、前記入力画像を表示する表示部と、前記入力画像の解像度と前記表示部が表示する画像の解像度とに基づき、前記複数の表示装置の配置を推定する推定部と、前記推定部の推定結果に基づき、前記複数の表示装置の配置を示す画像を前記表示部により表示させる表示制御部と、を備える、表示システムである。
【００１３】
上記表示システムにおいて、前記複数の表示装置は、デイジーチェーン接続され、前記複数の表示装置において両端に位置する２つの表示装置のいずれかの表示装置に、前記入力画像を出力する画像出力装置を備える構成であってもよい。
【図面の簡単な説明】
【００１４】
【図１】表示システムの構成を示す構成図。
【図２】プロジェクターの構成を示す構成図。
【図３】プロジェクターの制御部の構成を示す構成図。
【図４】入力画像の一例を示す図。
【図５】表示領域選択画面の一例を示す図。
【図６】表示領域選択画面の他の一例を示す図。
【図７】入力画像の他の一例を示す図。
【図８】表示領域選択画面の更に他の一例を示す図。
【図９】プロジェクターの制御部の処理を示すフローチャート。
【図１０】プロジェクターの制御部の配置推定処理を示すフローチャート。
【発明を実施するための形態】
【００１５】
以下、図面を参照して本実施形態について説明する。
【００１６】
［１．表示システムの構成］
図１は、表示システム１の構成の一例を示す構成図である。
本実施形態の表示システム１は、画像出力装置１００と、複数のプロジェクター２００とを備える。図１には、複数のプロジェクター２００として、プロジェクター２００Ａ、プロジェクター２００Ｂ、プロジェクター２００Ｃ、及びプロジェクター２００Ｄの４台を示す。表示システム１を構成するプロジェクター２００の台数は４台に限定されるものではない。プロジェクター２００の台数は２台以上であればよい。
プロジェクター２００Ａ〜プロジェクター２００Ｄの各々は、互いに同一の構成を有する。プロジェクター２００Ａ〜プロジェクター２００Ｄは、「複数の表示装置」の一例に対応する。プロジェクター２００Ａ〜プロジェクター２００Ｄの各々は、「表示装置」の一例に対応する。
以下の説明において、プロジェクター２００Ａ〜プロジェクター２００Ｄの各々を特に区別する必要がない場合は、プロジェクター２００と記載する場合がある。
【００１７】
画像出力装置１００は、プロジェクター２００Ａに接続される。画像出力装置１００は、プロジェクター２００ＡにＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）信号を供給する。ＨＤＭＩ信号には、画像データや音声データが含まれる。画像データは、動画像の画像データであってもよいし、静止画像の画像データであってもよい。また、音声データは、モノラルの音声データであってもよいし、ステレオの音声データであってもよい。また、ステレオよりも多くの音声チャネルを用いるサラウンド方式の音声データであってもよい。
【００１８】
画像出力装置１００には、例えばノート型ＰＣ（Ｐｅｒｓｏｎａｌ  Ｃｏｍｐｕｔｅｒ)、デスクトップ型ＰＣやタブレット端末、スマートフォン、ＰＤＡ（Ｐｅｒｓｏｎａｌ  Ｄｉｇｉｔａｌ  Ａｓｓｉｓｔａｎｔ）等を用いることができる。また、画像出力装置１００として、ビデオ再生装置、ＤＶＤ（Ｄｉｇｉｔａｌ  Ｖｅｒｓａｔｉｌｅ  Ｄｉｓｋ）プレーヤー、ブルーレイディスクプレーヤー、ハードディスクレコーダー、テレビチューナー装置、ＣＡＴＶ（Ｃａｂｌｅ  ｔｅｌｅｖｉｓｉｏｎ）のセットトップボックス、ビデオゲーム機等を用いてもよい。
【００１９】
プロジェクター２００Ａ〜プロジェクター２００Ｄは、ＨＤＭＩケーブル２２、ＨＤＭＩケーブル２３、及びＨＤＭＩケーブル２４によりデイジーチェーン接続される。換言すれば、プロジェクター２００Ａ〜プロジェクター２００Ｄは、ＨＤＭＩケーブル２２、２３、２４により直列に接続される。
具体的には、プロジェクター２００Ａ、２００Ｂ、２００Ｃ及び２００Ｄは、以下のように接続される。
すなわち、プロジェクター２００Ａとプロジェクター２００Ｂとは、ＨＤＭＩケーブル２２によって接続される。プロジェクター２００Ｂとプロジェクター２００Ｃとは、ＨＤＭＩケーブル２３によって接続される。プロジェクター２００Ｃとプロジェクター２００Ｄとは、ＨＤＭＩケーブル２４によって接続される。
【００２０】
プロジェクター２００Ａは、ＨＤＭＩ通信部２５０Ａを備える。ＨＤＭＩ通信部２５０Ａは、ＨＤＭＩ受信部２５２Ａ及びＨＤＭＩ送信部２５６Ａを備える。図１では、ＨＤＭＩ受信部を「Ｒｘ」と記載し、ＨＤＭＩ送信部を「Ｔｘ」と記載する。
ＨＤＭＩ受信部２５２Ａは、ＨＤＭＩケーブル２１により画像出力装置１００に接続される。ＨＤＭＩ送信部２５６Ａは、ＨＤＭＩケーブル２２によりプロジェクター２００Ｂに接続される。
【００２１】
プロジェクター２００ＡのＨＤＭＩ受信部２５２Ａは、画像出力装置１００から送信されるＨＤＭＩ信号を受信する。プロジェクター２００Ａは、受信したＨＤＭＩ信号を取り込んで画像処理、音声処理等の処理を実行する。また、プロジェクター２００ＡのＨＤＭＩ送信部２５６Ａは、ＨＤＭＩ信号をプロジェクター２００Ｂに送信する。
【００２２】
プロジェクター２００Ｂは、ＨＤＭＩ通信部２５０Ｂを備える。ＨＤＭＩ通信部２５０Ｂは、ＨＤＭＩ受信部２５２Ｂと、ＨＤＭＩ送信部２５６Ｂとを備える。ＨＤＭＩ受信部２５２Ｂは、ＨＤＭＩケーブル２２によりプロジェクター２００Ａに接続される。ＨＤＭＩ送信部２５６Ｂは、ＨＤＭＩケーブル２３によりプロジェクター２００Ｃに接続される。
プロジェクター２００ＢのＨＤＭＩ受信部２５２Ｂは、プロジェクター２００Ａから送信されるＨＤＭＩ信号を受信する。プロジェクター２００Ｂは、受信したＨＤＭＩ信号を取り込んで画像処理、音声処理等の処理を実行する。また、プロジェクター２００ＢのＨＤＭＩ送信部２５６Ｂは、ＨＤＭＩ信号をプロジェクター２００Ｃに送信する。
【００２３】
プロジェクター２００Ｃは、ＨＤＭＩ通信部２５０Ｃを備える。ＨＤＭＩ通信部２５０Ｃは、ＨＤＭＩ受信部２５２Ｃと、ＨＤＭＩ送信部２５６Ｃとを備える。ＨＤＭＩ受信部２５２Ｃは、ＨＤＭＩケーブル２３によりプロジェクター２００Ｂに接続される。ＨＤＭＩ送信部２５６Ｃは、ＨＤＭＩケーブル２４によりプロジェクター２００Ｄに接続される。
プロジェクター２００ＣのＨＤＭＩ受信部２５２Ｃは、プロジェクター２００Ｂから送信されるＨＤＭＩ信号を受信する。プロジェクター２００Ｃは、受信したＨＤＭＩ信号を取り込んで画像処理、音声処理等の処理を実行する。また、プロジェクター２００ＣのＨＤＭＩ送信部２５６Ｃは、ＨＤＭＩ信号をプロジェクター２００Ｄに送信する。
【００２４】
プロジェクター２００Ｄは、ＨＤＭＩ通信部２５０Ｄを備える。ＨＤＭＩ通信部２５０Ｄは、ＨＤＭＩ受信部２５２Ｄと、ＨＤＭＩ送信部２５６Ｄとを備える。ＨＤＭＩ受信部２５２Ｄは、ＨＤＭＩケーブル２４によりプロジェクター２００Ｃに接続される。
プロジェクター２００ＤのＨＤＭＩ受信部２５２Ｄは、プロジェクター２００Ｃから送信されるＨＤＭＩ信号を受信する。プロジェクター２００Ｄは、受信したＨＤＭＩ信号を取り込んで画像処理、音声処理等の処理を実行する。
【００２５】
ＨＤＭＩケーブル２１、２２、２３、及び２４の各々は、画像データや音声データ、制御情報の伝送用のデータ線を有する。このデータ線は、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）チャネル＃０，＃１，＃２の３つのデータ線である。これらのデータ線は、差動信号であるＨＤＭＩ信号を一方向にシリアルに伝送するデータ線である。また、ＨＤＭＩケーブル２１、２２、２３、及び２４の各々は、この他に、ＣＥＣ（Ｃｏｎｓｕｍｅｒ  Ｅｌｅｃｔｒｏｎｉｃｓ  Ｃｏｎｔｒｏｌ）線やＤＤＣ（Ｄｉｓｐｌａｙ  Ｄａｔａ  Ｃｈａｎｎｅｌ）線を有する。ＣＥＣ線は、ＨＤＭＩケーブルに接続した機器間で、制御用のデータを双方向に通信する信号線である。ＤＤＣ線は、Ｅ−ＥＤＩＤ（Ｅｎｈａｎｃｅｄ  Ｅｘｔｅｎｄｅｄ  Ｄｉｓｐｌａｙ  Ｉｄｅｎｔｉｆｉｃａｔｉｏｎ  Ｄａｔａ）の読み出しに使用される２本の信号線である。Ｅ−ＥＤＩＤは、ＨＤＭＩ信号の供給を受ける側の装置であるシンク機器を特定するデバイス情報である。
【００２６】
図１には、プロジェクター２００Ａ〜プロジェクター２００Ｄが横方向ＤＨに一列で配置され、各プロジェクター２００がスクリーンＳＣに画像を横並びで投射する場合を示す。プロジェクター２００Ａは、画像をスクリーンＳＣの投射領域１０Ａに投射し、プロジェクター２００Ｂは、画像をスクリーンＳＣの投射領域１０Ｂに投射する。また、プロジェクター２００Ｃは、画像をスクリーンＳＣの投射領域１０Ｃに投射し、プロジェクター２００Ｄは、画像をスクリーンＳＣの投射領域１０Ｄに投射する。
【００２７】
表示システム１は、プロジェクター２００Ａ〜プロジェクター２００Ｄが投射する画像をスクリーンＳＣにおいて結合させ、一つの大画面の画像をスクリーンＳＣに投射するタイリング投射を行う。すなわち、タイリング投射では、隣接するプロジェクター２００は、投射部２１０により投射する画像がスクリーンＳＣにおいて結合するように配置される。本実施形態では、「一つの大画面の画像」は、画像出力装置１００からプロジェクター２００Ａに入力される入力画像Ｒである。入力画像Ｒについては、後述にて図３を参照して詳細に説明する。
【００２８】
また、タイリング投射では、プロジェクター２００は、投射する画像の縁が隣接するプロジェクター２００が投射する画像の縁と互いに重なり合うように画像を投射する。これは、投射される画像の境界が目立たないようにするためである。例えば、プロジェクター２００Ａが投射する画像と、その右側に位置するプロジェクター２００Ｂが投射する画像とは、互いの縁が重なって重畳領域１１を形成する。同様に、プロジェクター２００Ｂが投射する画像と、その右側に位置するプロジェクター２００Ｃが投射する画像とは、互いの縁が重なって重畳領域１２を形成する。同様に、プロジェクター２００Ｃが投射する画像と、その右側に位置するプロジェクター２００Ｄが投射する画像とは、互いの縁が重なって重畳領域１３を形成する。
【００２９】
また、本実施形態は、プロジェクター２００Ａ〜２００Ｄが画像を投射する投射対象がスクリーンＳＣである場合を例にして説明するが、投射対象は、スクリーンＳＣに限定されない。投射対象は、一様な平面であってもよいし、曲面、不連続面あるいは凹凸を有する面などであってもよい。具体的には、建物の壁面や物体の表面を投射対象とすることができる。
また、プロジェクター２００Ａ〜２００Ｄの設置方法は、平置きに限定されるものではなく、プロジェクター２００Ａ〜２００Ｄを天井から吊り下げる天吊り設置や、壁面に掛ける壁掛け設置とすることも可能である。
また、図１には、プロジェクター２００Ａ〜２００Ｄを横一列に並べて配置した場合を示すが、プロジェクター２００Ａ〜２００Ｄを縦一列に並べて配置してもよい。また、プロジェクター２００Ａ〜２００Ｄを２行２列に並べて配置してもよい。
【００３０】
［２．プロジェクターの構成］
図２は、プロジェクター２００Ａの構成を示す構成図である。プロジェクター２００Ａ〜２００Ｄの各々の構成は同一であるため、以下では、プロジェクター２００Ａの構成について説明し、プロジェクター２００Ｂ〜２００Ｄの各々については、その説明を省略する。
また、以下の説明では、各プロジェクター２００の構成要素を区別するため、プロジェクター２００Ａの構成要素には「Ａ」の符号を付し、プロジェクター２００Ｂの構成要素には「Ｂ」の符号を付す。同様に、プロジェクター２００Ｃの構成要素には「Ｃ」の符号を付し、プロジェクター２００Ｄの構成要素には「Ｄ」の符号を付して説明する。
例えば、プロジェクター２００Ａの制御部を制御部２８０Ａと記載し、プロジェクター２００Ｂの制御部を制御部２８０Ｂと記載する。同様に、プロジェクター２００Ｃの制御部を制御部２８０Ｃと記載し、プロジェクター２００Ｄの制御部を制御部２８０Ｄと記載する。
【００３１】
プロジェクター２００ＡのＨＤＭＩ通信部２５０Ａは、ＨＤＭＩ受信部２５２Ａと、ＨＤＭＩ送信部２５６Ａとを備える。
ＨＤＭＩ受信部２５２Ａは、ＨＤＭＩケーブル２１に接続する接続端子と、受信したＨＤＭＩ信号を処理して、画像データや音声データ、制御情報に変換するインターフェイス回路とを備える。
また、ＨＤＭＩ送信部２５６Ａは、ＨＤＭＩケーブル２２に接続する接続端子と、画像データや音声データ、制御情報をＨＤＭＩ信号に変換するインターフェイス回路とを備える。
【００３２】
プロジェクター２００Ａは、光学的な画像の形成を行い、スクリーンＳＣに画像を投射する投射部２１０Ａを備える。投射部２１０Ａは、光源部２１１Ａ、光変調装置２１２Ａ及び投射光学系２１３Ａを備える。投射部２１０Ａは、「表示部」の一例に対応する。
光源部２１１Ａは、キセノンランプや、超高圧水銀ランプ、ＬＥＤ（Ｌｉｇｈｔ  Ｅｍｉｔｔｉｎｇ  Ｄｉｏｄｅ）、レーザー光源等からなる光源を備える。また、光源部２１１Ａは、光源が発した光を光変調装置２１２Ａに導くリフレクター及び補助リフレクターを備えてもよい。更に、光源部２１１Ａは、投射光の光学特性を高めるためのレンズ群、偏光板、又は光源が発した光の光量を光変調装置２１２Ａに至る経路上で低減させる調光素子等を備えてもよい。
【００３３】
光源部２１１Ａは、光源駆動部２２１Ａにより駆動される。光源駆動部２２１Ａは、内部バス２９０Ａに接続され、同じく内部バス２９０Ａに接続された制御部２８０Ａの制御に従って、光源部２１１Ａの光源を点灯及び消灯させる。
【００３４】
光変調装置２１２Ａは、例えば、Ｒ、Ｇ及びＢの三原色に対応した３枚の液晶パネル２１５Ａを備える。Ｒは赤色を示し、Ｇは緑色を示し、Ｂは青色を示す。すなわち、光変調装置２１２Ａは、Ｒ色光に対応した液晶パネル２１５Ａと、Ｇ色光に対応した液晶パネル２１５Ａと、Ｂ色光に対応した液晶パネル２１５Ａとを備える。
光源部２１１Ａが発する光はＲＧＢの３色の色光に分離され、それぞれ対応する液晶パネル２１５Ａに入射される。３枚の液晶パネル２１５Ａの各々は、透過型の液晶パネルであり、透過する光を変調して画像光を生成する。各液晶パネル２１５Ａを通過して変調された画像光は、クロスダイクロイックプリズム等の合成光学系によって合成され、投射光学系２１３Ａに射出される。
【００３５】
光変調装置２１２Ａは、光変調装置駆動部２２２Ａにより駆動される。光変調装置駆動部２２２Ａは、内部バス２９０Ａに接続される。
光変調装置駆動部２２２Ａには、画像処理部２６０ＡからＲ，Ｇ，Ｂの各原色に対応する画像データが入力される。光変調装置駆動部２２２Ａは、入力された画像データを液晶パネル２１５Ａの動作に適したデータ信号に変換する。光変調装置駆動部２２２Ａは、変換したデータ信号に基づいて、各液晶パネル２１５Ａの各画素に電圧を印加し、各液晶パネル２１５Ａに画像を描画する。
【００３６】
投射光学系２１３Ａは、光変調装置２１２Ａにより変調された画像光をスクリーンＳＣに投射して、スクリーンＳＣ上に結像させるレンズ群を備える。また、投射光学系２１３Ａは、スクリーンＳＣに投射される画像を拡大又は縮小させるズーム機構や、フォーカスの調整を行うフォーカス調整機構を備えてもよい。
【００３７】
プロジェクター２００Ａは、操作パネル２３１Ａ、リモコン受光部２３５Ａ及び入力処理部２３３Ａを備える。操作パネル２３１Ａ及びリモコン受光部２３５Ａは、内部バス２９０Ａに接続された入力処理部２３３Ａに接続される。
操作パネル２３１Ａには、プロジェクター２００Ａを操作するための各種操作キーが設けられる。操作パネル２３１Ａには、例えば、プロジェクター２００Ａの電源オン又は電源オフを指示するための電源キー、各種設定を行うためのメニューキー等が設けられる。入力処理部２３３Ａは、操作キーが操作されると、操作されたキーに対応した操作信号を制御部２８０Ａに出力する。
【００３８】
また、プロジェクター２００Ａは、ユーザーが使用するリモコン５Ａを有する。リモコン５Ａは各種のボタンを備えており、これらのボタンの操作に対応して赤外線信号を送信する。
リモコン受光部２３５Ａは、リモコン５Ａから送信される赤外線信号を受信する。入力処理部２３３Ａは、リモコン受光部２３５Ａが受信した赤外線信号をデコードして、リモコン５Ａにおける操作内容を示す操作信号を生成し、制御部２８０Ａに出力する。
【００３９】
プロジェクター２００Ａは、音声処理部２４０Ａ及びスピーカー２４３Ａを備える。
音声処理部２４０Ａは、音声データに復号化、Ｄ／Ａ変換、増幅等の信号処理を施し、アナログの音声信号に変換してスピーカー２４３Ａに出力する。
【００４０】
プロジェクター２００Ａは、無線通信部２４７Ａを備える。無線通信部２４７Ａは、内部バス２９０Ａに接続され、制御部２８０Ａの制御に従って動作する。
無線通信部２４７Ａは、図示しないアンテナやＲＦ（Ｒａｄｉｏ  Ｆｒｅｑｕｅｎｃｙ）回路等を備え、制御部２８０Ａの制御の下、外部の装置との間で無線通信を実行する。無線通信部２４７Ａの無線通信方式には、例えば無線ＬＡＮ（Ｌｏｃａｌ  Ａｒｅａ  Ｎｅｔｗｏｒｋ）、Ｂｌｕｅｔｏｏｔｈ（登録商標）、ＵＷＢ（Ｕｌｔｒａ  Ｗｉｄｅ  Ｂａｎｄ）、赤外線通信等の近距離無線通信方式を採用できる。また、無線通信部２４７Ａの無線通信方式として携帯電話回線を利用した無線通信方式を採用できる。
【００４１】
プロジェクター２００Ａは、画像処理系を備える。この画像処理系は、プロジェクター２００Ａの全体を統合的に制御する制御部２８０Ａを中心に構成され、この他に、画像処理部２６０Ａ、フレームメモリー２６５Ａ及び記憶部２７０Ａを備える。制御部２８０Ａ、画像処理部２６０Ａ及び記憶部２７０Ａは、内部バス２９０Ａにより相互にデータ通信可能に接続される。
【００４２】
画像処理部２６０Ａは、画像出力装置１００から受信した画像データをフレームメモリー２６５Ａに展開して処理する。画像処理部２６０Ａが行う処理には、例えば、解像度変換処理又はリサイズ処理、歪み補正等の形状補正処理、デジタルズーム処理、色調補正処理、輝度補正処理等が含まれる。画像処理部２６０Ａは、制御部２８０Ａにより指定された処理を実行し、必要に応じて、制御部２８０Ａから入力されるパラメーターを使用して処理を行う。また、画像処理部２６０Ａは、上記のうち複数の処理を組み合わせて実行することも勿論可能である。画像処理部２６０Ａは、処理が終了した画像データをフレームメモリー２６５Ａから読み出し、光変調装置駆動部２２２Ａに出力する。
【００４３】
記憶部２７０Ａは、例えば、ハードディスク装置等の補助記憶装置である。記憶部２７０Ａは、ＤＲＡＭ（Ｄｙｎａｍｉｃ  ＲＡＭ）、大容量の情報の記憶が可能なフラッシュメモリー又はＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）等の光ディスクで代替されてもよい。記憶部２７０Ａは、制御部２８０Ａが実行する制御プログラムや各種データを記憶する。
また、記憶部２７０Ａは、プロジェクター２００Ａ〜プロジェクター２００Ｄの各々の識別情報を記憶する。記憶部２７０Ｂ、２７０Ｃ、２７０Ｄについても同様である。各プロジェクター２００の識別情報は、ユーザーが操作パネル２３１Ａを操作して入力してもよいし、ＤＤＣ線を介してＥ−ＥＤＩＤから読み出した各プロジェクター２００のデバイス情報を使用してもよい。
【００４４】
制御部２８０Ａは、プロジェクター２００の各部を制御する。制御部２８０Ａは、ハードウェアとしてＣＰＵ（Ｃｅｎｔｒａｌ  Ｐｒｏｃｅｓｓｉｎｇ  Ｕｎｉｔ）のようなプロセッサー２８１Ａ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）のようなメモリー２８２Ａ、その他の周辺回路等を備える。
ＲＯＭは、フラッシュＲＯＭ等の不揮発性の記憶装置であり、制御プログラム及びデータを記憶する。ＲＡＭは、ＣＰＵが演算処理を行う際のワークエリアとして使用される。プロセッサー２８１Ａは、ＲＯＭや記憶部２７０Ａから読み出した制御プログラムをＲＡＭに展開し、展開した制御プログラムを実行してプロジェクター２００Ａの各部を制御する。制御部２８０Ａの構成ついては、後述にて図３を参照して詳細に説明する。
【００４５】
［３．制御部の構成］
図３は、プロジェクター２００Ａの制御部２８０Ａの構成を示す構成図である。制御部２８０Ａ〜制御部２８０Ｄの各々の構成は同一であるため、制御部２８０Ａの構成について説明し、制御部２８０Ｂ〜制御部２８０Ｄの各々については、その説明を省略する。
制御部２８０Ａは、画像入力部２８３Ａ、画像出力部２８４Ａ、推定部２８５Ａ、表示制御部２８６Ａ，情報入力部２８７Ａ、調整部２８８Ａ及び設定部２８９Ａを備える。
具体的には、制御部２８０Ａのプロセッサー２８１Ａは、ＲＯＭや記憶部２７０Ａから読み出した制御プログラムを実行することによって、画像入力部２８３Ａ、画像出力部２８４Ａ、推定部２８５Ａ、表示制御部２８６Ａ，情報入力部２８７Ａ、調整部２８８Ａ及び設定部２８９Ａとして機能する。
【００４６】
画像入力部２８３Ａには、入力画像Ｒが入力される。具体的には、画像入力部２８３Ａには、画像出力装置１００からＨＤＭＩ受信部２５２Ａを経由して入力画像Ｒが入力される。入力画像Ｒは、プロジェクター２００Ａ〜プロジェクター２００ＤによってスクリーンＳＣに投射される。
【００４７】
画像出力部２８４Ａは、ＨＤＭＩ送信部２５６Ａを経由して、入力画像Ｒをプロジェクター２００Ｂに出力する。
【００４８】
推定部２８５Ａは、入力画像Ｒの解像度と表示画像Ｐの解像度とに基づき、複数のプロジェクター２００の配置を推定する。表示画像Ｐは、入力画像Ｒに対応する画像であって、投射部２１０Ａが表示する画像を示す。具体的には、表示画像Ｐは、入力画像Ｒの一部又は全部に対応する画像である。
本実施形態では、入力画像Ｒの解像度を、入力画像Ｒの横方向ＤＨの画素数ＲＷと、入力画像Ｒの縦方向ＤＶの画素数ＲＨとによって記載する。また、表示画像Ｐの解像度を、表示画像Ｐの横方向ＤＨの画素数ＰＷと、表示画像Ｐの縦方向ＤＶの画素数ＰＨとによって記載する。横方向ＤＨ及び縦方向ＤＶについては、後述にて図４を参照して詳細に説明する。
また、本実施形態では、推定部２８５Ａは、表示システム１を構成する複数のプロジェクター２００のうちの第１方向Ｄ１に配列された第１台数Ｎ１と、第１方向Ｄ１と交差する第２方向Ｄ２に配列された第２台数Ｎ２とを推定する。換言すれば、推定部２８５Ａの推定結果は、表示システム１を構成する複数のプロジェクター２００のうちの第１方向Ｄ１に配列された第１台数Ｎ１と、第１方向Ｄ１と交差する第２方向Ｄ２に配列された第２台数Ｎ２とを含む。第１方向Ｄ１は、例えば横方向ＤＨに対応し、第２方向Ｄ２は、例えば縦方向ＤＶに対応する。
【００４９】
表示制御部２８６Ａは、推定部２８５Ａの推定結果に基づき、複数のプロジェクター２００の配置を示す画像を投射部２１０Ａにより表示させる。また、表示制御部２８６Ａは、入力画像Ｒを投射部２１０Ａにより表示させる。具体的には、表示制御部２８６Ａは、入力画像Ｒの一部又は全部を投射部２１０Ａにより表示させる。
【００５０】
情報入力部２８７Ａは、複数のプロジェクター２００の配置に対する入力を受け付ける。本実施形態では、情報入力部２８７Ａは、リモコン５Ａから複数のプロジェクター２００の配置に対するユーザーの入力を受け付ける。
【００５１】
調整部２８８Ａは、情報入力部２８７Ａへの入力に基づき、推定部２８５Ａが推定した複数のプロジェクター２００の配置を調整する。具体的には、調整部２８８Ａは、情報入力部２８７Ａへの入力に基づき、第１台数Ｎ１と第２台数Ｎ２とを調整する。
【００５２】
設定部２８９Ａは、推定部２８５Ａの推定結果に基づき、入力画像Ｒのうちの投射部２１０Ａにより表示する領域を設定する。換言すれば、設定部２８９Ａは、推定部２８５Ａの推定結果に基づき、入力画像Ｒのうちのプロジェクター２００Ａが表示する表示画像Ｐの領域を設定する。
また、設定部２８９Ａは、複数のプロジェクター２００によって入力画像Ｒが表示されるように領域を設定する。
例えば、複数のプロジェクター２００が、図１に示すように、プロジェクター２００Ａ〜プロジェクター２００Ｄで構成されている場合には、設定部２８９Ａは、以下のように領域を設定する。すなわち、プロジェクター２００Ａが表示画像ＰＡを表示し、プロジェクター２００Ｂが表示画像ＰＢを表示し、プロジェクター２００Ｃが表示画像ＰＣを表示し、プロジェクター２００Ｄが表示画像ＰＤを表示する。そして、表示画像ＰＡと表示画像ＰＢと表示画像ＰＣと表示画像ＰＤとによって入力画像Ｒが表示されるように、設定部２８９Ａが、表示画像ＰＡに対応する入力画像Ｒの領域を設定する。同様に、設定部２８９Ｂが、表示画像ＰＢに対応する入力画像Ｒの領域を設定し、設定部２８９Ｃが、表示画像ＰＣに対応する入力画像Ｒの領域を設定し、設定部２８９Ｄが、表示画像ＰＤに対応する入力画像Ｒの領域を設定する。
例えば、表示画像ＰＡに対応する入力画像Ｒの領域は、図１に示す投射領域１０Ａに対応する。表示画像ＰＢに対応する入力画像Ｒの領域は、図１に示す投射領域１０Ｂに対応する。表示画像ＰＣに対応する入力画像Ｒの領域は、図１に示す投射領域１０Ｃに対応する。表示画像ＰＤに対応する入力画像Ｒの領域は、図１に示す投射領域１０Ｄに対応する。
【００５３】
［４−１．制御部の処理の第１の具体例］
図４は、入力画像Ｒの一例として入力画像Ｒ１を示す図である。
図４に示すように、入力画像Ｒ１の解像度は、縦方向ＤＶの画素数ＲＨＡと、横方向ＤＨの画素数ＲＷ１で規定される。画素数ＲＨＡは、例えば１０８０個であり、画素数ＲＷ１は１９２０個である。横方向ＤＨは、例えば主走査方向を示し、縦方向ＤＶは、例えば副走査方向を示す。
また、入力画像Ｒ１は、第１領域ＡＲ１と、第２領域ＡＲ２と、第３領域ＡＲ３とから構成される。第２領域ＡＲ２には、画像が形成されている。これに対して、第１領域ＡＲ１及び第３領域ＡＲ３の各々には画像が形成されていない。換言すれば、第１領域ＡＲ１を構成する画素は、全て黒色であり、第１領域ＡＲ１は黒色の帯状のベタ画像となっている。同様に、第３領域ＡＲ３を構成する画素は、全て黒色であり、第３領域ＡＲ３は黒色の帯状のベタ画像となっている。
【００５４】
このような場合に、推定部２８５Ａは、入力画像Ｒ１の縦方向ＤＶの画素数ＲＨ１として、第２領域ＡＲ２の縦方向ＤＶの画素数を用いる。すなわち、推定部２８５Ａは、入力画像Ｒ１の解像度を、縦方向ＤＶの画素数ＲＨ１と、横方向ＤＨの画素数ＲＷ１とで規定する。画素数ＲＨ１は、例えば７２０個であり、画素数ＲＷ１は１９２０個である。
【００５５】
なお、黒色の帯状のベタ画像は、例えば、以下のようにして判定する。すなわち、主走査方向の１ラインに含まれる画素のうち、最も輝度の高い画素値を求める。主走査方向は、横方向ＤＨに対応する。そして、最も輝度の高い画素値が、閾値未満である場合には、黒色の帯状のベタ画像の一部を構成すると判定する。画素値の範囲が例えば０〜２５５である場合、すなわち画素値が２５６階調である場合には、閾値は例えば１０である。
【００５６】
図５は、表示領域選択画面３００の一例を示す図である。
表示領域選択画面３００は、表示制御部２８６Ａによって表示される。例えば、画像入力部２８３Ａに図４に示す入力画像Ｒ１が入力された場合に、表示制御部２８６Ａは、図５に示す表示領域選択画面３００を投射部２１０Ａにより表示させる。
投射部２１０によって表示される表示画像Ｐの解像度は、縦方向ＤＶの画素数ＰＨと、横方向ＤＨの画素数ＰＷとで規定される。画素数ＰＨは、例えば１０８０個であり、画素数ＰＷは例えば１９２０個である。
【００５７】
本実施形態では、表示制御部２８６Ａは、入力画像Ｒ１を、アスペクト比を固定した状態で、縦方向ＤＶの画素数ＲＨが、表示画像Ｐの縦方向ＤＶの画素数ＰＨに一致するように拡大し、入力画像Ｒ１Ｄを生成する。そして、表示制御部２８６Ａは、入力画像Ｒ１に換えて入力画像Ｒ１Ｄを投射部２１０Ａにより表示させる。
入力画像Ｒ１Ｄは、入力画像Ｒ１を、アスペクト比を固定した状態で、（ＰＨ／ＲＨ１）倍に拡大した画像を示す。
この場合に、入力画像Ｒ１Ｄの縦方向ＤＶの画素数ＲＨ１Ｄは、表示画像Ｐの縦方向ＤＶの画素数ＰＨと一致し、入力画像Ｒ１Ｄの横方向ＤＨの画素数ＲＷ１Ｄは次の式（１）で求められる。
ＲＷ１Ｄ＝ＲＷ１×（ＰＨ／ＲＨ１）      （１）
具体的には、入力画像Ｒ１Ｄの横方向ＤＨの画素数ＲＷ１Ｄは、２８８０個である。その結果、画素数ＲＷ１Ｄは、表示画像Ｐの横方向ＤＨの画素数ＰＷ（＝１９２０個）の１．５倍である。そこで、推定部２８５Ａは、横方向ＤＨに配列するプロジェクター２００の台数を示す第１台数Ｎ１を２台に推定し、縦方向ＤＶに配列するプロジェクター２００の台数を示す第２台数Ｎ２を１台に推定する。推定部２８５Ａによる第１台数Ｎ１及び第２台数Ｎ２の算出方法については、後述にて図７を参照して詳細に説明する。
【００５８】
表示領域選択画面３００は、配置画像３１０と、左ボタン３２１と、右ボタン３２２と、上ボタン３２３と、下ボタン３２４と、ＯＫボタン３３１と、キャンセルボタン３３２とを含む。表示領域選択画面３００は、ＯＳＤ（Ｏｎ−Ｓｃｒｅｅｎ  Ｄｉｓｐｌａｙ）の一例に対応する。
【００５９】
配置画像３１０は、複数のプロジェクター２００の配置を示す画像の一例である。配置画像３１０は、第１プロジェクター画像３１１と、第２プロジェクター画像３１２とで構成される。第１プロジェクター画像３１１及び第２プロジェクター画像３１２の各々は、プロジェクター２００を示す。第１プロジェクター画像３１１と第２プロジェクター画像３１２とは横方向ＤＨに配列される。
すなわち、配置画像３１０は、第１台数Ｎ１が２台であり、第２台数Ｎ２が１台であることを示す。第１台数Ｎ１は、横方向ＤＨに配置されたプロジェクター２００の台数を示し、第２台数Ｎ２は、縦方向ＤＶに配置されたプロジェクター２００の台数を示す。
【００６０】
第１プロジェクター画像３１１には、選択マーカーＭＳが付与されている。選択マーカーＭＳは、第１プロジェクター画像３１１が選択状態であることを示す。選択マーカーＭＳは、第１プロジェクター画像３１１を囲むように配置され、実線で記載される。
第２プロジェクター画像３１２には、非選択マーカーＭＮが付与されている。非選択マーカーＭＮは、第２プロジェクター画像３１２が選択状態でないことを示す。非選択マーカーＭＮは、第２プロジェクター画像３１２を囲むように配置され、破線で記載される。
なお、リモコン５Ａの矢印ボタンの押下を検出した場合に、情報入力部２８７Ａは、カーソルの位置するオブジェクトを変更する。オブジェクトは、第１プロジェクター画像３１１、第２プロジェクター画像３１２、左ボタン３２１、右ボタン３２２、上ボタン３２３、下ボタン３２４、ＯＫボタン３３１及びキャンセルボタン３３２を含む。
【００６１】
第１プロジェクター画像３１１及び第２プロジェクター画像３１２の各々は、選択状態と非選択状態とを切り換え可能である。
例えば、第１プロジェクター画像３１１が選択状態である場合に、下記の操作を検出した場合に、情報入力部２８７Ａは、第１プロジェクター画像３１１を選択状態から非選択状態に遷移する。すなわち、第１プロジェクター画像３１１にカーソルがある状態でリモコン５Ａの決定ボタンの押下を検出した場合に、情報入力部２８７Ａは、第１プロジェクター画像３１１を選択状態から非選択状態に遷移する。そして、情報入力部２８７Ａは、第１プロジェクター画像３１１に選択マーカーＭＳに替えて、非選択マーカーＭＮを付与する。
また、例えば、第２プロジェクター画像３１２が非選択状態である場合に、下記の操作を検出した場合に、情報入力部２８７Ａは、第２プロジェクター画像３１２を非選択状態から選択状態に遷移する。すなわち、第２プロジェクター画像３１２にカーソルがある状態でリモコン５Ａの決定ボタンの押下を検出した場合に、情報入力部２８７Ａは、第２プロジェクター画像３１２を非選択状態から選択状態に遷移する。そして、情報入力部２８７Ａは、第２プロジェクター画像３１２に非選択マーカーＭＮに替えて、選択マーカーＭＳを付与する。
【００６２】
左ボタン３２１及び右ボタン３２２の各々は、第１台数Ｎ１を増減する場合に押下される。なお、左ボタン３２１にカーソルがある状態でリモコン５Ａの決定ボタンの押下を検出した場合に、情報入力部２８７Ａは、左ボタン３２１が押下されたことを検出する。また、右ボタン３２２にカーソルがある状態でリモコン５Ａの決定ボタンの押下を検出した場合に、情報入力部２８７Ａは、右ボタン３２２が押下されたことを検出する。
【００６３】
図５に示すように、第１プロジェクター画像３１１が選択状態である状態で、左ボタン３２１の押下を情報入力部２８７Ａが検出した場合に、調整部２８８Ａは、第１台数Ｎ１を１台だけ増加する。その結果、第１台数Ｎ１が３台に増加され、表示制御部２８６Ａは図６に示す表示領域選択画面３００の配置画像３１０を表示する。
【００６４】
また、第２プロジェクター画像３１２が選択状態である状態で、右ボタン３２２の押下を情報入力部２８７Ａが検出した場合に、調整部２８８Ａは、第１台数Ｎ１を１台だけ増加する。その結果、第１台数Ｎ１が３台に増加され、表示制御部２８６Ａは図６に示す表示領域選択画面３００の配置画像３１０を表示する。
【００６５】
図５に示すように、第１プロジェクター画像３１１が選択状態である状態で、右ボタン３２２の押下を情報入力部２８７Ａが検出した場合に、調整部２８８Ａは、第１台数Ｎ１を１台だけ減少する。その結果、第１台数Ｎ１が１台に減少される。
【００６６】
また、第２プロジェクター画像３１２が選択状態である状態で、左ボタン３２１の押下を情報入力部２８７Ａが検出した場合に、調整部２８８Ａは、第１台数Ｎ１を１台だけ減少する。その結果、第１台数Ｎ１が１台に減少される。
【００６７】
このようにして、情報入力部２８７Ａは、リモコン５Ａのユーザーによる入力を受け付け、情報入力部２８７Ａが受け付けた入力に応じて、調整部２８８Ａは、第１台数Ｎ１を増減する。すなわち、調整部２８８Ａは、情報入力部２８７Ａへの入力に基づき、第１台数Ｎ１を調整する。
【００６８】
上ボタン３２３及び下ボタン３２４の各々は、第２台数Ｎ２の台数を変更する場合に押下される。上ボタン３２３及び下ボタン３２４の各々については、後述にて図８を参照して詳細に説明する。
【００６９】
ＯＫボタン３３１は、複数のプロジェクター２００の配置を決定する場合に押下される。すなわち、ＯＫボタン３３１は、第１台数Ｎ１及び第２台数Ｎ２を決定する場合に押下される。ＯＫボタン３３１の押下を情報入力部２８７Ａが検出した場合に、調整部２８８Ａは、第１台数Ｎ１及び第２台数Ｎ２を決定する。
【００７０】
キャンセルボタン３３２は、複数のプロジェクター２００の配置をキャンセルする場合に押下される。すなわち、第１台数Ｎ１及び第２台数Ｎ２のいずれかが変更されていた場合に、キャンセルボタン３３２の押下を情報入力部２８７Ａが検出した場合に、調整部２８８Ａは、第１台数Ｎ１及び第２台数Ｎ２を初期状態に戻す。すなわち、調整部２８８Ａは、推定部２８５Ａが推定した第１台数Ｎ１及び第２台数Ｎ２に戻す。
【００７１】
図６は、表示領域選択画面３００の他の一例を示す図である。
図５に示す表示領域選択画面３００における配置画像３１０が、２つの画像で構成されるのに対して、図６に示す表示領域選択画面３００における配置画像３１０が、３つの画像で構成される点で相違している。すなわち、図５に示す表示領域選択画面３００は、第１台数Ｎ１が２台である場合に対応するのに対して、図６に示す表示領域選択画面３００は、第１台数Ｎ１が３台である場合に対応する点で相違している。以下では、図５に示す表示領域選択画面３００と相違する点について主に説明する。
【００７２】
図６に示すように、表示領域選択画面３００は、配置画像３１０と、左ボタン３２１と、右ボタン３２２と、上ボタン３２３と、下ボタン３２４と、ＯＫボタン３３１と、キャンセルボタン３３２とを含む。
配置画像３１０は、複数のプロジェクター２００の配置を示す画像の一例である。配置画像３１０は、第１プロジェクター画像３１１と、第２プロジェクター画像３１２と、第３プロジェクター画像３１３で構成される。第１プロジェクター画像３１１、第２プロジェクター画像３１２及び第３プロジェクター画像３１３の各々は、プロジェクター２００を示す。第１プロジェクター画像３１１と第２プロジェクター画像３１２と第３プロジェクター画像３１３とは横方向ＤＨに配列される。
すなわち、配置画像３１０は、第１台数Ｎ１が３台であり、第２台数Ｎ２が１台であることを示す。第１台数Ｎ１は、横方向ＤＨに配置されたプロジェクター２００の台数を示し、第２台数Ｎ２は、縦方向ＤＶに配置されたプロジェクター２００の台数を示す。
【００７３】
第１プロジェクター画像３１１及び第２プロジェクター画像３１２の各々には、非選択マーカーＭＮが付与され、第３プロジェクター画像３１３には、選択マーカーＭＳが付与されている。
図６に示すように、第３プロジェクター画像３１３が選択状態である状態で、右ボタン３２２の押下を情報入力部２８７Ａが検出した場合に、調整部２８８Ａは、第１台数Ｎ１を１台だけ増加する。その結果、第１台数Ｎ１が４台に増加される。
また、第３プロジェクター画像３１３が選択状態である状態で、左ボタン３２１の押下を情報入力部２８７Ａが検出した場合に、調整部２８８Ａは、第１台数Ｎ１を１台だけ減少する。その結果、第１台数Ｎ１が２台に減少される。
また、例えば、第１プロジェクター画像３１１が選択状態である状態で、左ボタン３２１の押下を情報入力部２８７Ａが検出した場合に、調整部２８８Ａは、第１台数Ｎ１を１台だけ増加する。その結果、第１台数Ｎ１が４台に増加される。
また、例えば、第１プロジェクター画像３１１が選択状態である状態で、右ボタン３２２の押下を情報入力部２８７Ａが検出した場合に、調整部２８８Ａは、第１台数Ｎ１を１台だけ減少する。その結果、第１台数Ｎ１が２台に減少される。
【００７４】
［４−２．制御部の処理の第２の具体例］
図７は、入力画像Ｒの一例として入力画像Ｒ２を示す図である。
入力画像Ｒ２は、図４に示す入力画像Ｒ１と比較して、アスペクト比が縦長を示す点で相違している。入力画像Ｒ２の解像度は、縦方向ＤＶの画素数ＲＨ２と、横方向ＤＨの画素数ＲＷ２で規定される。画素数ＲＨ２は、例えば２１６０個であり、画素数ＲＷ２は３８４０個である。
なお、以下の説明では、アスペクト比を、（横方向ＤＨの画素数：縦方向ＤＶの画素数）として記載する。具体的には、入力画像Ｒ１のアスペクト比が、（約２．６７：１）であるのに対して、入力画像Ｒ2のアスペクト比は、（約１．７８：１）である。
【００７５】
推定部２８５Ａは、次の式（２）によって、横方向ＤＨに配列するプロジェクター２００の台数を示す第１台数Ｎ１を推定する。
Ｎ１＝［ＲＷ／ＰＷ］      （２）
括弧［］は、ガウス記号を示す。すなわち、推定部２８５Ａは、第１台数Ｎ１を、入力画像Ｒの横方向ＤＨの画素数ＲＷを、表示画像Ｐの横方向ＤＨの画素数ＰＷで除した商以上の最小の整数として推定する。
また、推定部２８５Ａは、次の式（３）によって、縦方向ＤＶに配列するプロジェクター２００の台数を示す第２台数Ｎ２を推定する。
Ｎ２＝［ＲＨ／ＰＨ］      （３）
すなわち、推定部２８５Ａは、第２台数Ｎ２を、入力画像Ｒの縦方向ＤＶの画素数ＲＨを、表示画像Ｐの縦方向ＤＶの画素数ＰＨで除した商以上の最小の整数として推定する。
【００７６】
入力画像Ｒが入力画像Ｒ２である場合には、推定部２８５Ａは、式（２）によって第１台数Ｎ１を２台であると推定し、式（３）によって第２台数Ｎ２を２台であると推定する。
【００７７】
図８は、表示領域選択画面３００の更に他の一例を示す図である。
表示領域選択画面３００は、表示制御部２８６Ａによって表示される。例えば、画像入力部２８３Ａに図７に示す入力画像Ｒ２が入力された場合に、表示制御部２８６Ａは、図８に示す表示領域選択画面３００を投射部２１０Ａにより表示させる。
投射部２１０によって表示される表示画像Ｐの解像度は、縦方向ＤＶの画素数ＰＨと、横方向ＤＨの画素数ＰＷとで規定される。画素数ＰＨは、例えば１０８０個であり、画素数ＰＷは例えば１９２０個である。
【００７８】
図５及び図６に示す表示領域選択画面３００における配置画像３１０が示す第２台数Ｎ２が１台であるのに対して、図８に示す表示領域選択画面３００における配置画像３１０が示す第２台数Ｎ２が２台である点で相違している。以下では、図５及び図６に示す表示領域選択画面３００と相違する点について主に説明する。
【００７９】
図８に示すように、表示領域選択画面３００は、配置画像３１０と、左ボタン３２１と、右ボタン３２２と、上ボタン３２３と、下ボタン３２４と、ＯＫボタン３３１と、キャンセルボタン３３２とを含む。
配置画像３１０は、複数のプロジェクター２００の配置を示す画像の一例である。配置画像３１０は、第１プロジェクター画像３１１と、第２プロジェクター画像３１２と、第３プロジェクター画像３１３と、第４プロジェクター画像３１４とで構成される。第１プロジェクター画像３１１、第２プロジェクター画像３１２、第３プロジェクター画像３１３及び第４プロジェクター画像３１４の各々は、プロジェクター２００を示す。
【００８０】
第１プロジェクター画像３１１と第２プロジェクター画像３１２とは横方向ＤＨに配列される。同様に、第３プロジェクター画像３１３と第４プロジェクター画像３１４とは横方向ＤＨに配列される。
また、第１プロジェクター画像３１１と第３プロジェクター画像３１３とは縦方向ＤＶに配列される。同様に、第２プロジェクター画像３１２と第４プロジェクター画像３１４とは縦方向ＤＶに配列される。
配置画像３１０は、第１台数Ｎ１が２台であり、第２台数Ｎ２が２台であることを示す。第１台数Ｎ１は、横方向ＤＨに配置されたプロジェクター２００の台数を示し、第２台数Ｎ２は、縦方向ＤＶに配置されたプロジェクター２００の台数を示す。
【００８１】
第１プロジェクター画像３１１には、選択マーカーＭＳが付与され、第２プロジェクター画像３１２、第３プロジェクター画像３１３及び第４プロジェクター画像３１４の各々には非選択マーカーＭＮが付与される。
図８に示すように、第１プロジェクター画像３１１が選択状態である状態で、上ボタン３２３の押下を情報入力部２８７Ａが検出した場合に、調整部２８８Ａは、第２台数Ｎ２を１台だけ増加する。その結果、第２台数Ｎ２が３台に増加される。
また、第１プロジェクター画像３１１が選択状態である状態で、下ボタン３２４の押下を情報入力部２８７Ａが検出した場合に、調整部２８８Ａは、第２台数Ｎ２を１台だけ減少する。その結果、第２台数Ｎ２が１台に減少される。
【００８２】
図８では、第１プロジェクター画像３１１が選択状態である場合について説明したが、第１プロジェクター画像３１１が非選択状態であり、第３プロジェクター画像３１３又は第４プロジェクター画像３１４が選択状態である場合には、以下のようにして第２台数Ｎ２が増減される。
すなわち、第３プロジェクター画像３１３又は第４プロジェクター画像３１４が選択状態である状態で、上ボタン３２３の押下を情報入力部２８７Ａが検出した場合に、調整部２８８Ａは、第２台数Ｎ２を１台だけ減少する。その結果、第２台数Ｎ２が１台に減少される。
また、第３プロジェクター画像３１３又は第４プロジェクター画像３１４が選択状態である状態で、下ボタン３２４の押下を情報入力部２８７Ａが検出した場合に、調整部２８８Ａは、第２台数Ｎ２を１台だけ増加する。その結果、第２台数Ｎ２が３台に増加される。
【００８３】
このようにして、情報入力部２８７Ａは、リモコン５Ａのユーザーによる入力を受け付け、情報入力部２８７Ａが受け付けた入力に応じて、調整部２８８Ａは、第２台数Ｎ２を増減する。すなわち、調整部２８８Ａは、情報入力部２８７Ａへの入力に基づき、第２台数Ｎ２を調整する。
【００８４】
［４−３．制御部の処理］
図９は、プロジェクター２００Ａの制御部２８０Ａの処理を示すフローチャートである。
図９に示すように、まず、ステップＳ１０１において、画像入力部２８３Ａが、画像出力装置１００から入力画像Ｒの入力を検出する。
次に、ステップＳ１０３において、制御部２８０Ａが、「配置推定処理」を実行する。「配置推定処理」は、複数のプロジェクター２００の配置を推定する処理を示す。「配置推定処理」については、後述にて図１０を参照して詳細に説明する。
次に、ステップＳ１０５において、情報入力部２８７Ａが、複数のプロジェクター２００の配置に対する入力を受け付けたか否かを判定する。
複数のプロジェクター２００の配置に対する入力を受け付けていないと情報入力部２８７Ａが判定した場合（ステップＳ１０５：ＮＯ）には、処理がステップＳ１１１に進む。複数のプロジェクター２００の配置に対する入力を受け付けたと情報入力部２８７Ａが判定した場合（ステップＳ１０５：ＹＥＳ）には、処理がステップＳ１０７に進む。
そして、ステップＳ１０７において、調整部２８８Ａは、情報入力部２８７Ａが受け付けた入力に基づいて、第１台数Ｎ１を調整する。
次に、ステップＳ１０９において、調整部２８８Ａは、情報入力部２８７Ａが受け付けた入力に基づいて、第２台数Ｎ２を調整する。
【００８５】
次に、ステップＳ１１１において、制御部２８０Ａが、ＯＫボタン３３１の押下を受け付けたか否かを判定する。
ＯＫボタン３３１の押下を受け付けたと制御部２８０Ａが判定した場合（ステップＳ１１１：ＹＥＳ）には、処理がステップＳ１１７に進む。ＯＫボタン３３１の押下を受け付けていないと制御部２８０Ａが判定した場合（ステップＳ１１１：ＮＯ）には、処理がステップＳ１１３に進む。
そして、ステップＳ１１３において、制御部２８０Ａが、キャンセルボタン３３２の押下を受け付けたか否かを判定する。
キャンセルボタン３３２の押下を受け付けたと制御部２８０Ａが判定した場合（ステップＳ１１３：ＹＥＳ）には、表示制御部２８６Ａは、表示領域選択画面３００の配置画像３１０として、前回設定された配置を示す画像を表示し、その後、処理が終了する。キャンセルボタン３３２の押下を受け付けていないと制御部２８０Ａが判定した場合（ステップＳ１１３：ＮＯ）には、処理がステップＳ１１５に進む。
【００８６】
そして、ステップＳ１１５において、制御部２８０Ａが、所定時間が経過したか否かを判定する。所定時間は、例えば１分間である。
所定時間が経過していないと制御部２８０Ａが判定した場合（ステップＳ１１５：ＮＯ）には、処理がステップＳ１０５に戻る。所定時間が経過したと制御部２８０Ａが判定した場合（ステップＳ１１５：ＹＥＳ）には、処理がステップＳ１１７に進む。
そして、ステップＳ１１７において、設定部２８９Ａは、入力画像Ｒのうちの投射部２１０Ａにより表示する領域を設定する。
例えば、入力画像Ｒを横方向ＤＨに第１台数Ｎ１の示す個数に分割し、縦方向ＤＶに第２台数Ｎ２の示す個数に分割して、生成された分割画像の領域を、設定部２８９Ａは、投射部２１０Ａにより表示する領域に設定する。
更に具体的には、表示画像Ｐの解像度は、縦方向ＤＶの画素数ＰＨと、横方向ＤＨの画素数ＰＷとで規定されるため、入力画像Ｒを横方向ＤＨに分割する際には、入力画像Ｒの左端の画素を始点として、表示画像Ｐの横方向ＤＨの画素数ＰＷ毎に分割する。また、入力画像Ｒを縦方向ＤＶに分割する際には、入力画像Ｒの上端の画素を始点として、表示画像Ｐの縦方向ＤＶの画素数ＰＨ毎に分割する。
次に、ステップＳ１１９において、表示制御部２８６Ａは、複数のプロジェクター２００の配置を示す画像として表示領域選択画面３００の配置画像３１０を更新して投射部２１０Ａにより表示させる。
【００８７】
次に、ステップＳ１２１において、情報入力部２８７Ａは、入力画像Ｒのうちの投射部２１０Ａにより表示する領域の座標を受け付けたか否かを判定する。
具体的には、表示制御部２８６Ａは、図５に示す表示領域選択画面３００における配置画像３１０の第１プロジェクター画像３１１の４隅の座標を修正可能に表示する。そして、情報入力部２８７Ａは、ユーザーからのリモコン５Ａに対する入力に基づき、第１プロジェクター画像３１１の４隅の座標の入力を受け付ける。このようにして、設定部２８９Ａは、投射部２１０Ａにより表示する領域の座標を修正する。
領域の座標を受け付けていないと情報入力部２８７Ａが判定した場合（ステップＳ１２１：ＮＯ）には、処理が終了する。領域の座標を受け付けたと情報入力部２８７Ａが判定した場合（ステップＳ１２１：ＹＥＳ）には、処理がステップＳ１２３に進む。
そして、ステップＳ１２３において、設定部２８９Ａは、投射部２１０Ａにより表示する領域を修正する。
次に、ステップＳ１２５において、表示制御部２８６Ａは、複数のプロジェクター２００の配置を示す画像として表示領域選択画面３００の配置画像３１０を更新して投射部２１０Ａにより表示させる。その後、処理が終了する。
【００８８】
図１０は、プロジェクター２００Ａの制御部２８０Ａの配置推定処理を示すフローチャートである。
図１０に示すように、まず、ステップＳ２０１において、推定部２８５Ａは、入力画像Ｒの横方向ＤＨの画素数ＲＷと、縦方向ＤＶの画素数ＲＨを算出する。
次に、ステップＳ２０３において、推定部２８５Ａは、表示画像Ｐの縦方向ＤＶの画素数ＰＨと、横方向ＤＨの画素数ＰＷとを読み出す。なお、画素数ＰＨを示す情報、及び画素数ＰＷを示す情報は、例えばメモリー２８２Ａに記憶される。
次に、ステップＳ２０５において、推定部２８５Ａは、画素数ＲＨが画素数ＰＨ以下であるか否かを判定する。
【００８９】
画素数ＲＨが画素数ＰＨ以下ではないと推定部２８５Ａが判定した場合（ステップＳ２０５：ＮＯ）には、処理がステップＳ２１１に進む。画素数ＲＨが画素数ＰＨ以下であると推定部２８５Ａが判定した場合（ステップＳ２０５：ＹＥＳ）には、処理がステップＳ２０７に進む。
そして、ステップＳ２０７において、推定部２８５Ａは、第２台数Ｎ２が１台であると推定する。第２台数Ｎ２は、縦方向ＤＶに配列されたプロジェクター２００の台数を示す。
次に、ステップＳ２０９において、推定部２８５Ａは、図７を参照して説明した式（２）を用いて第１台数Ｎ１を算出し、処理がステップＳ２１９に進む。第１台数Ｎ１は、横方向ＤＨに配列されたプロジェクター２００の台数を示す。
【００９０】
画素数ＲＨが画素数ＰＨ以下ではないと推定部２８５Ａが判定した場合（ステップＳ２０５：ＮＯ）場合には、ステップＳ２１１において、推定部２８５Ａは、画素数ＲＷが画素数ＰＷ以下であるか否かを判定する。
画素数ＲＷが画素数ＰＷ以下ではないと推定部２８５Ａが判定した場合（ステップＳ２１１：ＮＯ）には、処理がステップＳ２１７に進む。画素数ＲＷが画素数ＰＷ以下であると推定部２８５Ａが判定した場合（ステップＳ２１１：ＹＥＳ）には、処理がステップＳ２１３に進む。
そして、ステップＳ２１３において、推定部２８５Ａは、第１台数Ｎ１が１台であると推定する。
次に、ステップＳ２１５において、推定部２８５Ａは、図７を参照して説明した式（３）を用いて第２台数Ｎ２を算出し、処理がステップＳ２１９に進む。
【００９１】
画素数ＲＨが画素数ＰＨ以下ではないと推定部２８５Ａが判定した場合（ステップＳ２０５：ＮＯ）場合には、ステップＳ２１７において、推定部２８５Ａは、図７を参照して説明した式（２）を用いて第１台数Ｎ１を算出し、図７を参照して説明した式（３）を用いて第２台数Ｎ２を算出する。
そして、ステップＳ２１９において、表示制御部２８６Ａは、複数のプロジェクター２００の配置を示す画像として表示領域選択画面３００の配置画像３１０を投射部２１０Ａにより表示させる。その後、処理が図９のステップＳ１０５へリターンする。
【００９２】
なお、ステップＳ１０１が、「入力ステップ」の一例に対応する。また、ステップＳ２０１〜ステップＳ２１７が、「推定ステップ」の一例に対応する。また、ステップＳ２１９が「表示ステップ」の一例に対応する。
【００９３】
以上、図面を参照して説明したように、本実施形態では、画像入力部２８３Ａに入力画像Ｒが入力される。推定部２８５Ａは、入力画像Ｒの解像度と表示画像Ｐの解像度とに基づき、複数のプロジェクター２００の配置を推定する。表示制御部２８６Ａは、推定部２８５Ａの推定結果に基づき、複数のプロジェクター２００の配置を示す画像を投射部２１０Ａにより表示させる。
よって、複数のプロジェクター２００の配置を容易に決定できる。したがって、ユーザーが複数のプロジェクター２００の配置を各プロジェクター２００に設定する必要がないため、ユーザーの利便性を向上できる。
【００９４】
また、本実施形態では、情報入力部２８７Ａは、複数のプロジェクター２００の配置に対する入力を受け付ける。また、調整部２８８Ａは、情報入力部２８７Ａへの入力に基づき、推定部２８５Ａが推定した複数のプロジェクター２００の配置を調整する。
よって、推定部２８５Ａが推定した複数のプロジェクター２００の配置が、ユーザーの所望する配置と相違する場合に、ユーザーは、推定部２８５Ａが推定した複数のプロジェクター２００の配置を調整できる。したがって、ユーザーの利便性を向上できる。
【００９５】
また、本実施形態では、推定部２８５Ａは、表示システム１を構成する複数のプロジェクター２００うちの第１方向Ｄ１に配列された第１台数Ｎ１と、第１方向Ｄ１と交差する第２方向Ｄ２に配列された第２台数Ｎ２とを推定する。第１方向Ｄ１は、例えば横方向ＤＨに対応し、第２方向Ｄ２は、例えば縦方向ＤＶに対応する。また、調整部２８８Ａは、情報入力部２８７Ａへの入力に基づき、第１台数Ｎ１と第２台数Ｎ２とを調整する。
よって、推定部２８５Ａが推定した第１台数Ｎ１及び第２台数Ｎ２の少なくともいずれかがユーザーの所望する台数と相違する場合に、ユーザーは、第１台数Ｎ１及び第２台数Ｎ２のいずれかを増減することによって、複数のプロジェクター２００の配置を調整できる。したがって、ユーザーの利便性を向上できる。
【００９６】
また、本実施形態では、設定部２８９Ａは、推定部２８５Ａの推定結果に基づき、入力画像Ｒのうちの投射部２１０Ａにより表示する領域を設定する。
よって、ユーザーが投射部２１０Ａにより表示する領域を設定する必要がない。したがって、ユーザーの利便性を向上できる。
【００９７】
また、本実施形態では、設定部２８９Ａは、複数のプロジェクター２００によって入力画像Ｒが表示されるように投射部２１０Ａにより表示する領域を設定する。
よって、複数のプロジェクター２００によって入力画像Ｒを表示できる。したがって、ユーザーの利便性を向上できる。
【００９８】
また、本実施形態では、設定部２８９Ａは、投射部２１０Ａにより表示する領域の位置及びサイズを規定する座標の入力を受け付け、座標に基づき領域を設定する。例えば、投射部２１０Ａにより表示する領域の四隅の座標を設定することによって、投射部２１０Ａにより表示する領域を設定する。
よって、ユーザーは、容易に投射部２１０Ａにより表示する領域を設定できる。したがって、ユーザーの利便性を向上できる。
【００９９】
また、本実施形態では、複数のプロジェクター２００は、デイジーチェーン接続される。また、画像出力装置１００は、複数のプロジェクター２００において両端に位置する２つのプロジェクター２００のいずれかのプロジェクター２００に、入力画像Ｒを出力する。
したがって、簡素な構成で、入力画像Ｒを複数のプロジェクター２００に入力できる。
【０１００】
なお、上述した本実施形態は実施形態の一例に過ぎず、実施形態を限定するものではなく、異なる態様とすることも可能である。
本実施形態では、例えば、プロジェクター２００を表示装置の一例として示したが、表示装置は、液晶表示パネルに画像を表示する液晶モニター、液晶テレビ等であってもよい。また、プラズマディスプレイパネル、ＯＬＥＤ（Ｏｒｇａｎｉｃ  ｌｉｇｈｔ−ｅｍｉｔｔｉｎｇ  ｄｉｏｄｅ）、ＯＥＬ（Ｏｒｇａｎｉｃ  Ｅｌｅｃｔｒｏ  Ｌｕｍｉｎｅｓｃｅｎｃｅ）ディスプレイ等の有機ＥＬ表示パネルを備えた装置であってもよい。
【０１０１】
また、本実施形態では、複数のプロジェクター２００は、デイジーチェーン接続されるが、実施形態はこれに限定されない。表示システム１が、画像出力装置１００と複数のプロジェクター２００との間に映像分配器を備える形態でもよい。映像分配器は、画像出力装置１００から出力される入力画像Ｒを複数のプロジェクター２００の各々に対して出力する。
【０１０２】
また、本実施形態では、投射される画像の境界が目立たないようにする処理、いわゆる、「エッジブレンディング処理」に関する設定については、その記載を省略しているが、エッジブレンディング処理に関する設定を実行してもよい。具体的には、設定部２８９Ａが、表示領域選択画面３００を介してプロジェクター２００Ａが表示する表示画像Ｐに対応する入力画像Ｒの領域を設定する前に、エッジブレンディング処理に関する設定を実行すればよい。すなわち、設定部２８９Ａが、表示画像Ｐに対応する入力画像Ｒの領域を設定する際に、その前に実行されたエッジブレンディング処理に関する設定の結果を利用すればよい。
【０１０３】
また、本実施形態では、入力画像Ｒ１の縦方向ＤＶの画素数ＲＨ１が表示画像Ｐの縦方向ＤＶの画素数ＰＨより小さい場合に、入力画像Ｒ１を拡大したが、実施形態はこれに限定されない。入力画像Ｒ１の縦方向ＤＶの画素数ＲＨ１が表示画像Ｐの縦方向ＤＶの画素数ＰＨより小さい場合であっても、入力画像Ｒ１を拡大せずに、そのままの大きさの入力画像Ｒ１を複数のプロジェクター２００又は１台のプロジェクター２００で表示してもよい。
【０１０４】
また、本実施形態では、情報入力部２８７Ａが、リモコン５Ａの操作に基づいて、ユーザーからの入力を受け付けたが、実施形態はこれに限定されない。情報入力部２８７Ａが、操作パネル２３１Ａの操作に基づいて、ユーザーからの入力を受けてもよい。また、情報入力部２８７Ａが、無線通信部２４７Ａを介して、ユーザーからの入力を受けてもよい。
【０１０５】
また、本実施形態では、光変調装置２１２Ａが液晶パネル２１５Ａを備える構成を例示したが、液晶パネル２１５Ａは、透過型の液晶パネルであってもよいし、反射型の液晶パネルであってもよい。また、光変調装置２１２Ａは、液晶パネル２１５Ａに代えて、デジタルミラーデバイス（ＤＭＤ）を用いた構成であってもよい。また、デジタルミラーデバイスとカラーホイールを組み合わせた構成としてもよい。また、光変調装置２１２Ａは、液晶パネル及びＤＭＤ以外に、光源が発した光を変調可能な構成を採用しても良い。
【０１０６】
また、図２に示したプロジェクター２００Ａの各機能部、及び図３に示した制御部２８０Ａの各機能部は、機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、また、ハードウェアで実現される機能の一部をソフトウェアで実現してもよい。その他、プロジェクター２００の他の各部の具体的な細部構成についても、本発明の趣旨を逸脱しない範囲で任意に変更可能である。
【０１０７】
また、図９及び図１０に示すフローチャートの処理単位は、プロジェクター２００又は表示システム１の処理を理解容易にするために、主な処理内容に応じて分割したものである。図９及び図１０に示す処理単位の分割の仕方や名称によって実施形態が制限されることはない。また、制御部２８０の処理は、処理内容に応じて、更に多くの処理単位に分割することもできるし、１つの処理単位がさらに多くの処理を含むように分割することもできる。また、上記のフローチャート及びシーケンス図の処理順序も、図示した例に限られるものではない。
【０１０８】
また、表示装置の制御方法は、表示装置が備えるコンピューターに、表示装置の制御方法に対応したプログラムを実行させることで実現できる。また、このプログラムは、コンピューターで読み取り可能に記録した記録媒体に記録しておくことも可能である。記録媒体としては、磁気的、光学的記録媒体又は半導体メモリーデバイスを用いることができる。具体的には、フレキシブルディスク、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ、Ｂｌｕ−ｒａｙ（登録商標） Ｄｉｓｃ、光磁気ディスク、フラッシュメモリー、カード型記録媒体等の可搬型、或いは固定式の記録媒体が挙げられる。また、記録媒体は、画像表示装置が備える内部記憶装置であるＲＡＭ、ＲＯＭ、ＨＤＤ等の不揮発性記憶装置であってもよい。また、表示装置の制御方法に対応したプログラムをサーバー装置等に記憶させておき、サーバー装置から表示装置に、プログラムをダウンロードすることで表示装置の制御方法を実現することもできる。
【符号の説明】
【０１０９】
１…表示システム、５…リモコン、２１〜２４…ＨＤＭＩケーブル、１００…画像出力装置、１１０…制御部、１２０…再生部、１３０…記録媒体、１４０…ＨＤＭＩ通信部、２００、２００Ａ〜２００Ｄ…プロジェクター（表示装置）、２１０…投射部（表示部）、２１１Ａ…光源部、２１２Ａ…光変調装置、２１３Ａ…投射光学系、２１５Ａ…液晶パネル、２２１Ａ…光源駆動部、２２２Ａ…光変調装置駆動部、２３１Ａ…操作パネル、２３３Ａ…入力処理部、２３５Ａ…リモコン受光部、２４０Ａ…音声処理部、２４３…スピーカー、２４７Ａ…無線通信部、２５０、２５０Ａ〜２５０Ｄ…ＨＤＭＩ通信部、２５２、２５２Ａ〜２５２Ｄ…ＨＤＭＩ受信部、２５６、２５６Ａ〜２５６Ｄ…ＨＤＭＩ送信部、２６０Ａ…画像処理部、２６５Ａ…フレームメモリー、２７０Ａ…記憶部、２８０、２８０Ａ〜２８０Ｄ…制御部、２８１、２８１Ａ〜２８１Ｄ…プロセッサー、２８２、２８２Ａ〜２８２Ｄ…メモリー、２８３、２８３Ａ〜２８３Ｄ…画像入力部、２８４、２８４Ａ〜２８４Ｄ…画像出力部、２８５、２８５Ａ〜２８５Ｄ…推定部、２８６、２８６Ａ〜２８６Ｄ…表示制御部、２８７、２８７Ａ〜２８７Ｄ…情報入力部、２８８、２８８Ａ〜２８８Ｄ…調整部、２８９、２８９Ａ〜２８９Ｄ…設定部、２９０Ａ…内部バス、表示領域選択画面…３００、３１０…配置画像、３１１…第１プロジェクター画像、３１２…第２プロジェクター画像、３１３…第３プロジェクター画像、３１４…第４プロジェクター画像、３２１…左ボタン、３２２…右ボタン、３２３…上ボタン、３２４…下ボタン、３３１…ＯＫボタン、３３２…キャンセルボタン、ＡＲ１…第１領域、ＡＲ２…第２領域、ＡＲ３…第３領域、Ｄ１…第１方向、Ｄ２…第２方向、ＤＨ…横方向、ＤＶ…縦方向、ＭＮ…非選択マーカー、ＭＳ…選択マーカー、Ｎ１…第１台数、Ｎ２…第２台数、Ｐ…画像、Ｒ、Ｒ１、Ｒ２…入力画像、ＳＣ…スクリーン、ＰＨ、ＰＷ…画素数、ＲＨ、ＲＨ１、ＲＨ２…画素数、ＲＷ、ＲＷ１、ＲＷ２…画素数。
【図１】
2020115194.tif 000003
【図２】
2020115194.tif 000004
【図３】
2020115194.tif 000005
【図４】
2020115194.tif 000006
【図５】
2020115194.tif 000007
【図６】
2020115194.tif 000008
【図７】
2020115194.tif 000009
【図８】
2020115194.tif 000010
【図９】
2020115194.tif 000011
【図１０】
2020115194.tif 000012